(57)【要約】本発明は、可溶性ピロロキノリンキノン（ＰＱＱ ）依存性グルコースデヒドロゲナーゼ（ｓ−ＧＤＨ）の改善されたバリアント、変異ｓ−ＧＤＨ をコードする遺伝子、改善されたグルコースに対する基質特異性を有するｓ−ＧＤＨ の変異タンパク質、およびこれらのｓ−ＧＤＨ バリアントの異なる適用（特にサンプル中の糖（特にグルコース）の濃度を決定するため）に関する。
2004512047.tif 000002
【特許請求の範囲】
【請求項１】
対応する野生型酵素と比較して、および少なくとも１つの他の選択された糖基質に関して、少なくとも２倍の増加したグルコースに対する基質特異性を有することを特徴とする、ＰＱＱ 依存性可溶性グルコースデヒドロゲナーゼ（ｓ−ＧＤＨ ）としても知られているＥＣ１．１．９９．１７ の可溶性形態の変異体。
【請求項２】
選択された糖がマルトースおよびガラクトースからなる群から選択されることをさらに特徴とする請求項１記載の変異体。
【請求項３】
選択された糖がマルトースであることをさらに特徴とする請求項１または２記載の変異体。
【請求項４】
グルコースに対する基質特異性が少なくとも３倍改善されることをさらに特徴とする請求項１記載のＰＱＱ 依存性ｓ−ＧＤＨ の変異体。
【請求項５】
グルコースに対する基質特異性が少なくとも５倍改善されることをさらに特徴とする請求項１記載のＰＱＱ 依存性ｓ−ＧＤＨ の変異体。
【請求項６】
ａ）グルコースに対する基質特異的反応性が本質的に野生型酵素の反応性と等しく、
ｂ）マルトースに対する基質特異的反応性が野生型酵素と比較して３０％以下であることを特徴とする、
ＰＱＱ 依存性可溶性グルコースデヒドロゲナーゼ（ｓ−ＧＤＨ ）としても知られているＥＣ１．１．９９．１７ の可溶性形態の変異体。
【請求項７】
マルトースに対する基質特異的反応性が野生型酵素と比較して２０％以下であることをさらに特徴とする請求項６記載の変異体。
【請求項８】
野生型ｓ−ＧＤＨ がＡ．ｃａｌｃｏａｃｅｔｉｃｕｓ およびＡ．ｂａｕｍａｎｎｉｉ からなるＡｃｉｎｅｔｏｂａｃｔｅｒ 種の株から単離されることをさらに特徴とする請求項１〜７いずれか記載のＰＱＱ 依存性ｓ−ＧＤＨ の変異体。
【請求項９】
Ａ．ｃａｌｃｏａｃｅｔｉｃｕｓ 由来の公知のｓ−ＧＤＨ 野生型配列（配列番号：２４）の３４８ 位に対応するアミノ酸位置でアミノ酸残基置換を含んでなるＰＱＱ 依存性ｓ−ＧＤＨ の変異タンパク質。
【請求項１０】
Ａ．ｃａｌｃｏａｃｅｔｉｃｕｓ 由来の公知のｓ−ＧＤＨ 野生型配列（配列番号：２４）の位置に対応するアミノ酸位置で少なくとも２つのアミノ酸残基置換を含み、該置換されたアミノ酸位置が１６、２２、７６、１１６ 、１２０ 、１２７ 、１４３ 、１６８ 、１６９ 、１７１ 、１７７ 、２２７ 、２３０ 、２３１ 、２４５ 、２５５ 、２７７ 、２９５ 、２９９ 、３０８ 、３１７ 、３４１ 、３４８ 、３４９ 、３５５ 、４２２ 、４２８ および４３８ 位からなる群から選択され、アミノ酸残基Ｔ３４８が置換されてなるＰＱＱ 依存性ｓ−ＧＤＨ の変異タンパク質。
【請求項１１】
Ａ．ｃａｌｃｏａｃｅｔｉｃｕｓ 由来の公知のｓ−ＧＤＨ 野生型配列（配列番号：２４）の位置に対応するアミノ酸位置で、３４８ 位アミノ酸および次のアミノ酸残基１６、１１６ 、１２０ 、１２７ 、１６９ 、１７１ 、１７７ 、２２７ 、２５５ 、２７７ 、２９９ 、３１７ 、３５５ および４３８ のうち少なくとも１つが置換されることをさらに特徴とする請求項１０記載の変異体。
【請求項１２】
アミノ酸残基の置換を３４８ 位および４２８ 位で含んでなる請求項１０記載の変異タンパク質。
【請求項１３】
Ａ．ｃａｌｃｏａｃｅｔｉｃｕｓ 由来の公知のｓ−ＧＤＨ 野生型配列（配列番号：２４）の位置に対応するアミノ酸位置で少なくとも３つのアミノ酸残基置換を含み、該置換されたアミノ酸位置が１７１ 、２２７ 、２３０ 、２４５ 、３４１ 、３４８ 、３４９ 、および４２８ 位からなる群から選択され、アミノ酸残基Ｔ３４８およびＮ４２８の両方が置換されてなるＰＱＱ 依存性ｓ−ＧＤＨ の変異タンパク質。
【請求項１４】
４２８ 位のアスパラギンがロイシン、プロリンおよびバリンからなる群から選択されるアミノ酸残基で置換されることをさらに特徴とする請求項１２または１３記載の変異体。
【請求項１５】
３４８ 位のスレオニンがアラニン、グリシンおよびセリンからなる群から選択されるアミノ酸残基で置換されることをさらに特徴とする請求項９〜１４いずれか記載の変異体。
【請求項１６】
ＷＰＸａａＶＡＰＳ （配列番号：１）のアミノ酸配列を含んでなり、該Ｘａａ 残基がスレオニン以外のアミノ酸残基であるＰＱＱ 依存性ｓ−ＧＤＨ の変異タンパク質。
【請求項１７】
Ｘａａ 残基がグリシンであることをさらに特徴とする請求項１６記載の変異タンパク質。
【請求項１８】
ＴＡＧＸａａＶＱＫ （配列番号：２）のアミノ酸配列を含んでなり、該Ｘａａ 残基がアスパラギン以外のアミノ酸残基であるＰＱＱ 依存性ｓ−ＧＤＨ の変異タンパク質。
【請求項１９】
Ｘａａ 残基がプロリンであることをさらに特徴とする請求項１８記載の変異タンパク質。
【請求項２０】
ＡＤＧＸａａＮＧＬ （配列番号：３）のアミノ酸配列を含んでなり、該Ｘａａ 残基がグルタミン以外のアミノ酸残基であるＰＱＱ 依存性ｓ−ＧＤＨ の変異タンパク質。
【請求項２１】
Ｘａａ 残基がアスパラギン酸、グルタミン酸、メチオニン、プロリン、セリン、アラニンまたはグリシンからなる群から選択されることをさらに特徴とする請求項２０記載の変異体。
【請求項２２】
請求項９〜２１いずれか記載のｓ−ＧＤＨ 変異タンパク質をコードする単離されたポリヌクレオチド。
【請求項２３】
宿主細胞において請求項２２記載の単離されたポリヌクレオチドの発現を促進し得るプロモーター配列に作動可能に連結された該ポリヌクレオチドを含んでなる発現ベクター。
【請求項２４】
請求項２３記載の発現ベクターを含んでなる宿主細胞。
【請求項２５】
酵素バリアントの産生に適切な条件下で請求項２４記載の宿主細胞を培養する工程を含むｓ−ＧＤＨ バリアントを産生する方法。
【請求項２６】
無細胞のペプチド合成系において請求項２２記載の単離されたポリヌクレオチドの発現を促進し得るプロモーター配列に作動可能に連結された該ポリヌクレオチドを含んでなる発現ベクター。
【請求項２７】
酵素バリアントの産生に適切な条件下で無細胞のペプチド合成系において請求項２６記載の構築物を用いてｓ−ＧＤＨ バリアントを産生する方法。
【請求項２８】
改善がサンプルを変異体と接触させる工程を含む前記いずれか記載のｓ−ＧＤＨ 変異体を用いてサンプル中のグルコースを検出、決定または測定する方法。
【請求項２９】
グルコースの検出、決定または測定がセンサーまたは試験ストリップデバイスを用いて実施されることをさらに特徴とする請求項２８記載の方法。
【請求項３０】
請求項１〜２９いずれか記載のｓ−ＧＤＨ 変異体および測定に必要な他の試薬を含むサンプル中のグルコースの検出または測定のためのデバイス。
【発明の詳細な説明】
【０００１】
本発明は、可溶性ピロロキノリンキノン（ＰＱＱ ）依存性グルコースデヒドロゲナーゼ（ｓ−ＧＤＨ ）の改良されたバリアント、変異ｓ−ＧＤＨ をコードする遺伝子、グルコースに対する改良された基質特異性を有するｓ−ＧＤＨ の変異タンパク質、およびこれらのｓ−ＧＤＨ バリアントの種々の適用（特にサンプル中の糖、特にグルコースの濃度を測定する）に関する。
【０００２】
ＰＱＱ 依存性グルコースデヒドロゲナーゼ（ＥＣ １．１．９９．１７）の２つの型が特徴を有している：１つは膜結合（ｍ−ＧＤＨ ）であり、もう１つは可溶性（ｓ−ＧＤＨ ）である。両型は、重要な配列相同性を全く共有しない（Ｃｌｅｔｏｎ−Ｊａｎｓｅｎ， Ａ．Ｍ． ら， Ｍｏｌ Ｇｅｎ Ｇｅｎｅｔ ２１７（１９８９）４３０−６；Ｃｌｅｔｏｎ−Ｊａｎｓｅｎ， Ａ．Ｍ． ら， Ａｎｔｏｎｉｅ Ｖａｎ Ｌｅｅｕｗｅｎｈｏｅｋ ５６（１９８９）７３−９；Ｏｕｂｒｉｅ， Ａ．ら， Ｐｒｏｃ Ｎａｔｌ Ａｃａｄ Ｓｃｉ ＵＳＡ ９６（１９９９）１１７８７−９１ ）。これらはまた、その動力学的特性および免疫学的特性の両方に関しても異なっている（Ｍａｔｓｕｓｈｉｔａ， Ｋ．ら， Ｂｉｏｓｃｉｅｎｃｅ Ｂｉｏｔｅｃｈｎｏｌｏｇｙ ＆ Ｂｉｏｃｈｅｍｉｓｔｒｙ ５９（１９９５）１５４８−１５５５ ）。
【０００３】
キノタンパク質は、補因子としてキノンを使用して、アルコール、アミンおよびアルドースを対応するラクトン、アルデヒドおよびアルドン酸（ａｌｄｏｌｉｃ ａｃｉｄ）へ酸化する（Ｄｕｉｎｅ， Ｊ．Ａ． Ｅｎｅｒｇｙ ｇｅｎｅｒａｔｉｏｎ ａｎｄ ｔｈｅ ｇｌｕｃｏｓｅ ｄｅｈｙｄｒｏｇｅｎａｓｅ ｐａｔｈｗａｙ ｉｎ Ａｃｉｎｅｔｏｂａｃｔｅｒ「Ｔｈｅ ｂｉｏｌｏｇｙ ｏｆ Ａｃｉｎｅｔｏｂａｃｔｅｒ」（１９９１）２９５−３１２， Ｎｅｗ Ｙｏｒｋ， Ｐｌｅｎｕｍ Ｐｒｅｓｓ ；Ｄｕｉｎｅ， Ｊ．Ａ．， Ｅｕｒ Ｊ Ｂｉｏｃｈｅｍ ２００（１９９１）２７１−８４， Ｄａｖｉｄｓｏｎ， Ｖ．Ｌ．「Ｐｒｉｎｃｉｐｌｅｓ ａｎｄ ａｐｐｌｉｃａｔｉｏｎｓ ｏｆ ｑｕｉｎｏｐｒｏｔｅｉｎｓ」（１９９３）本全部， Ｎｅｗ Ｙｏｒｋ， Ｍａｒｃｅｌ Ｄｅｋｋｅｒ ；Ａｎｔｈｏｎｙ， Ｃ．， Ｂｉｏｃｈｅｍ Ｊ ３２０（１９９６）６９７−７１１ ；Ａｎｔｈｏｎｙ， Ｃ． およびＧｈｏｓｈ， Ｍ．， Ｃｕｒｒｅｎｔ Ｓｃｉｅｎｃｅ ７２（１９９７）７１６−７２７；Ａｎｔｈｏｎｙ， Ｃ．， Ｂｉｏｃｈｅｍ Ｓｏｃ Ｔｒａｎｓ ２６（１９９８）４１３−７；Ａｎｔｈｏｎｙ， Ｃ． およびＧｈｏｓｈ， Ｍ．， Ｐｒｏｇ Ｂｉｏｐｈｙｓ Ｍｏｌ Ｂｉｏｌ ６９（１９９８）１−２１ ）。キノタンパク質の中でも、非共有結合補因子２，７，９−トリカルボキシ−１Ｈ−ピロロ［２，３−ｆ］ キノリン−４，５− ジオン（ＰＱＱ ）を含むものは、最も大きなサブグループを構成する（Ｄｕｉｎｅ １９９１， 前出）。これまで知られている全ての細菌グルコースデヒドロゲナーゼは、補欠分子団としてＰＱＱ を含むこのサブグループに属する（Ａｎｔｈｏｎｙ およびＧｈｏｓｈ １９９７前出， Ｇｏｏｄｗｉｎ およびＡｎｔｈｏｎｙ １９９８， 前出）。
【０００４】
細菌において、２つの完全に異なる型のＰＱＱ 依存性グルコースデヒドロゲナーゼ（ＥＣ１．１．９９．１７ ）：可溶性型（ｓ−ＧＤＨ ）および膜結合型（ｍ−ＧＤＨ ）が存在する（Ｄｕｉｎｅ ら， １９８２；Ｍａｔｓｕｓｈｉｔａら， １９８９ａ，ｂ ）。ｍ−ＧＤＨ は、グラム陰性細菌に広く行き渡っているが、しかし、ｓ−ＧＤＨ は、Ａｃｉｎｅｔｏｂａｃｔｅｒ 株（Ａ．ｃａｌｃｏａｃｅｔｉｃｕｓ （Ｄｕｉｎｅ， １９９１ａ；Ｃｌｅｔｏｎ−Ｊａｎｓｅｎ ら， １９８８；ＭａｔｓｕｓｈｉｔａおよびＡｄａｃｈｉ， １９９３）およびＡ．ｂａｕｍａｎｎｉｉ （ＪＰ１１２４３９４９）など）の血漿周辺（ｐｅｒｉｐｌａｓｍａｔｉｃ ）隙にのみ見出されている。
【０００５】
配列データベース探索を通して、全長Ａ．ｃａｌｃｏａｃｅｔｉｃｕｓ ｓ−ＧＤＨ に相同な２つの配列が、Ｅ．ｃｏｌｉ Ｋ−１２ およびＳｙｎｅｃｈｏｃｙｓｔｉｓ ｓｐ． において同定されている。さらに、Ａ．ｃａｌｃｏａｃｅｔｉｃｕｓ ｓ−ＧＤＨ に相同な２つの不完全配列も、Ｐ．ａｅｒｕｇｉｎｏｓａおよびボルデテラ・ペルツシス（Ｂｏｒｄｅｔｅｌｌａ ｐｅｒｔｕｓｓｉｓ）のゲノムにおいてそれぞれ見出された（Ｏｕｂｒｉｅら１９９９ａ ）。これら４つの特徴のないタンパク質の演繹アミノ酸配列は、完全に変換された推定活性部位に多くの残基を有するＡ．ｃａｌｃｏａｃｅｔｉｃｕｓ ｓ−ＧＤＨ に密接に関連する。これらの相同タンパク質は、類似の構造を有し、類似のＰＱＱ 依存性反応を触媒すると考えられる（Ｏｕｂｒｉｅら， １９９９ａ ）。
【０００６】
細菌ｓ−ＧＤＨ およびｍ−ＧＤＨ は、全く異なる配列および異なる基質特異性を有することが見出されている。例えば、Ａ．ｃａｌｃｏａｃｅｔｉｃｕｓ は、２つの異なるＰＱＱ 依存性グルコースデヒドロゲナーゼ（１つはインビボで活性なｍ−ＧＤＨ 、もう一方はインビトロでのみ活性が示され得るｓ−ＧＤＨ を示す）を含む。Ｃｌｅｔｏｎ−Ｊａｎｓｅｎ ら（１９８８；１９８９ａ，ｂ ）は、２つのＧＤＨ 酵素をコードする遺伝子をクローニングし、これらのＧＤＨ 遺伝子の両方のＤＮＡ 配列を決定した。ｍ−ＧＤＨ とｓ−ＧＤＨ との間に明らかな相同性は存在せず、ｍ−ＧＤＨ およびｓ−ＧＤＨ は２つの完全に異なる分子を表すという事実を確証する。
【０００７】
Ａ．ｃａｌｃｏａｃｅｔｉｃｕｓ 由来のｓ−ＧＤＨ の遺伝子は、Ｅ．ｃｏｌｉにおいてリーダー配列および強力なプロモーターの後ろにクローニングされている。細胞中で合成された後、ｓ−ＧＤＨ は、細胞質膜を介して血漿周辺隙へ転位する（Ｄｕｉｎｅ， Ｊ．Ａ． Ｅｎｅｒｇｙ ｇｅｎｅｒａｔｉｏｎ ａｎｄ ｔｈｅ ｇｌｕｃｏｓｅ ｄｅｈｙｄｒｏｇｅｎａｓｅ ｐａｔｈｗａｙ ｉｎ Ａｃｉｎｅｔｏｂａｃｔｅｒ「Ｔｈｅ ｂｉｏｌｏｇｙ ｏｆ Ａｃｉｎｅｔｏｂａｃｔｅｒ」（１９９１）２９５−３１２， Ｎｅｗ Ｙｏｒｋ， Ｐｌｅｎｕｍ Ｐｒｅｓｓ， Ｍａｔｓｕｓｈｉｔａ， Ｋ． およびＡｄａｃｈｉ， Ｏ． Ｂａｃｔｅｒｉａｌ ｑｕｉｎｏｐｒｏｔｅｉｎｓ ｇｌｕｃｏｓｅ ｄｅｈｙｄｒｏｇｅｎａｓｅ ａｎｄ ａｌｃｏｈｏｌ ｄｅｈｙｄｒｏｇｅｎａｓｅ「Ｐｒｉｎｃｉｐｌｅｓ ａｎｄ ａｐｐｌｉｃａｔｉｏｎｓ ｏｆ Ｑｕｉｎｏｐｒｏｔｅｉｎｓ」（１９９３）４７−６３， Ｎｅｗ Ｙｏｒｋ， Ｍａｒｃｅｌ Ｄｅｋｋｅｒ）。Ａ．ｃａｌｃｏａｃｅｔｉｃｕｓ 由来のネイティブｓ−ＧＤＨ などのＥ．ｃｏｌｉで発現されるｓ−ＧＤＨ はまた、１モノマーあたり１つのＰＱＱ 分子および３つのカルシウムイオンを有するホモダイマーである（Ｄｏｋｔｅｒら， １９８６前出， １９８７前出１９８８前出；Ｏｌｓｔｈｏｏｒｎ， Ａ． およびＪ． Ｄｕｉｎｅ， Ｊ．Ａ．， Ａｒｃｈ Ｂｉｏｃｈｅｍ Ｂｉｏｐｈｙｓ ３３６ （１９９６）４２−８ ；Ｏｕｂｒｉｅ， Ａ．ら， Ｊ Ｍｏｌ Ｂｉｏｌ ２８９（１９９９）３１９−３３， Ｏｕｂｒｉｅ， Ａ．ら， Ｐｒｏｃ Ｎａｔｌ Ａｃａｄ Ｓｃｉ ＵＳＡ ９６（１９９９）１１７８７−９１， Ｏｕｂｒｉｅ， Ａ． ら， Ｅｍｂｏ Ｊ １８（１９９９）５１８７−９４）。ｓ−ＧＤＨ は、幅広い範囲の単糖類および二糖類を対応するケトンへ酸化し、さらにアルドン酸へ加水分解し、また電子をＰＭＳ （フェナジンメトサルフェート）、ＤＣＰＩＰ （２，６−ジクロロフェノールインドフェノール）、ＷＢ（Ｗｕｒｓｔｅｒ ブルー）および短鎖ユビキノン（例えば、ユビキノンＱ１およびユビキノンＱ２）（Ｍａｔｓｕｓｈｉｔａ， Ｋ．， ら， Ｂｉｏｃｈｅｍｉｓｔｒｙ ２８ （１９８９） ６２７６−８０； Ｍａｔｓｕｓｈｉｔａ， Ｋ．ら， Ａｎｔｏｎｉｅ Ｖａｎ Ｌｅｅｕｗｅｎｈｏｅｋ ５６ （１９８９） ６３−７２ ）、いくつかの人工電子アクセプター（例えば、Ｎ−メチルフェナゾニウム硫酸メチル）（Ｏｌｓｔｈｏｏｒｎ， Ａ． Ｊ．およびＤｕｉｎｅ， Ｊ． Ａ．， Ａｒｃｈ Ｂｉｏｃｈｅｍ Ｂｉｏｐｈｙｓ ３３６ （１９９６） ４２−８ ； Ｏｌｓｔｈｏｏｒｎ， Ａ． Ｊ． およびＤｕｉｎｅ， Ｊ． Ａ．， Ｂｉｏｃｈｅｍｉｓｔｒｙ ３７ （１９９８） １３８５４−６１ ）ならびに電気伝導ポリマー（Ｙｅ， Ｌ．ら， Ａｎａｌ． Ｃｈｅｍ． ６５ （１９９３） ２３８−４１）に供与し得る。
【０００８】
グルコースに対するｓ−ＧＤＨ の高い特異的活性（Ｏｌｓｔｈｏｏｒｎ， Ａ． Ｊ．およびＤｕｉｎｅ， Ｊ． Ａ．， Ａｒｃｈ Ｂｉｏｃｈｅｍ Ｂｉｏｐｈｙｓ ３３６ （１９９６） ４２−８）およびその広い人工電子アクセプター特異性を考慮すると、この酵素は、分析的用途（特に、診断用途におけるグルコース決定のための（バイオ）センサーまたは試験ストリップにおける使用）に充分適切である（Ｋａｕｆｍａｎｎら， １９９７前出）。
【０００９】
グルコース酸化は、少なくとも３つの完全に別個の群の酵素によって、すなわち、ＮＡＤ 依存性、色素連結グルコースデヒドロゲナーゼによって、フラビンタンパク質グルコースオキシダーゼによってまたはキノタンパク質ＧＤＨ （Ｄｕｉｎｅ １９９５）によって触媒され得る。還元ｓ−ＧＤＨ のかなり緩やかな自己酸化（ａｕｔｏｏｘｉｄａｔｉｏｎ ）が観察されており、酸素がｓ−ＧＤＨ に対する非常に不十分な電子アクセプターであることを示す（Ｏｌｓｔｈｏｏｒｎ およびＤｕｉｎｅ １９９６）。ｓ−ＧＤＨ は、効率的に電子をＰＭＳ 、ＤＣＰＩＰ 、ＷＢおよび短鎖ユビキノン（例えば、Ｑ１およびＱ２）供与し得るが、効率的に酸素に直接電子を供与することはできない。
【００１０】
例えば、糖尿病患者由来の血液、血清および尿中のグルコースレベルをモニタリングするための伝統的な試験ストリップおよびセンサーは、グルコースオキシダーゼを使用する。しかし、グルコースオキシダーゼは、その電子を酸素へ移動するので、酸素はこの酵素に基づくグルコース測定にネガティブな影響を有し得ることが公知である。ＰＱＱ 依存性グルコースデヒドロゲナーゼの主な利点は、その酸素からの独立である。この重要な特性は、例えば、米国特許第６，１０３，５０９ 号（膜結合ＧＤＨ のいくつかの特性が研究されている）に考察される。
【００１１】
当該分野に対する重要な貢献は、適切な基質と共にｓ−ＧＤＨ を使用することである。ｓ−ＧＤＨ に基づくアッセイ方法および試験ストリップデバイスは、詳細に米国特許第５，４８４，７０８ 号に開示される。この特許はまた、グルコース測定のためのアッセイのセットアップおよびｓ−ＧＤＨ ベースの試験ストリップの産生における詳細な情報を含む。引用文書になお記載される方法は、参考としてこれと共に含まれる。
【００１２】
当該分野に関連しグルコースデヒドロゲナーゼ活性を有する酵素についての種々の様式の応用法における特定の情報を含む他の特許または応用法は、米国特許第５，９９７，８１７ 号； 同第６，０５７，１２０ 号； 欧州特許第６２０ ２８３ 号； および日本国特許第１１−２４３９４９−Ａ 号である。
【００１３】
ｓ−ＧＤＨ および反応が生じる場合の色変化を生成する指示薬を利用する商業的システム（Ｋａｕｆｍａｎｎら １９９７ ）は、Ｒｏｃｈｅ Ｄｉａｇｎｏｓｔｉｃｓ ＧｍｂＨにより配布されるＧｌｕｃｏｔｒｅｎｄ（登録商標）システムである。
【００１４】
上記で考察された重要な利点にもかかわらず、ｓ−ＧＤＨ の主要な固有の問題がまた存在する。ｓ−ＧＤＨ は、ｍ−ＧＤＨ と比較してかなり広い基質スペクトルを有する。すなわち、ｓ−ＧＤＨ はグルコースだけではなくいくつかの他の糖（マルトース、ガラクトース、ラクトース、マンノース、キシロースおよびリボース）も酸化する（Ｄｏｋｔｅｒら， １９８６ａ ）。グルコース以外の糖に対する反応性は、特定の場合、幾人かの糖尿病患者における血中グルコースレベルを測定する精度を減じ得る。特に、イコデキストリン（グルコースポリマー）で処置される腹膜透析の患者は、その体液、例えば、血液中に高いレベルの他の糖、特にマルトースを含み得る（Ｗｅｎｓ， Ｒ．ら， Ｐｅｒｉｔ Ｄｉａｌ Ｉｎｔ １８ （１９９８） ６０３−９）。
【００１５】
従って、例えば、糖尿病患者、特に腎臓合併症を有する患者および特に透析下の患者から得られるような臨床サンプルは、有意なレベルの他の糖、特にマルトースを含み得る。このような臨床患者から得られたサンプルにおけるグルコース測定は、マルトースによって減損され得る。
【００１６】
変化した基質特異性を示す修飾ＰＱＱ 依存性ｓ−ＧＤＨ の産生を試みた文献において珍しい報告がある。ネガティブな結果に起因して、これらの努力のほとんどは、公開されていない。Ｉｇａｒａｓｈｉ， Ｓ．ら， （１９９９）は、Ｇｌｕ２７７位への点変異の導入は、変化した基質特異性プロフィールを有する変異体をもたらすことを報告する。しかし、これらの変異体はいずれも、例えば、キシロース、ガラクトースまたはマルトースと比較して、少なくとも２倍増加したグルコースに対する改善特異性をもたらさない。
【００１７】
ｓ−ＧＤＨ の特徴、特にそのグルコースに対する特異性の改善を目指す当該分野で公知の試みは、グルコース以外の糖も高いレベルで有する患者におけるグルコースレベルの正確なモニタリングに必要とされる程度まで成功していないことが要約され得る。
【００１８】
従って、顕著な需要および臨床的必要性が、基質としてのグルコースに対する改善特異性を特色にするｓ−ＧＤＨ の変異体形態に対して存在する。
【００１９】
他の選択された糖分子、例えば、ガラクトースまたはマルトースなどと比較して有意に改善されたグルコースに対する基質特異性を有するｓ−ＧＤＨ の新規な変異体またはバリアントを提供することが本発明の課題である。
【００２０】
驚くべきことに、他の糖と比較して有意にグルコースに対するｓ−ＧＤＨ の基質特異性を改善し、少なくとも部分的に当該分野で公知の上記問題を克服する可能性が見出されている。
【００２１】
他の選択された糖分子と比較してグルコースに対する基質特異性は、本明細書中で以下に記載されるような本発明に従い、かつ添付の特許請求の範囲の変異体ｓ−ＧＤＨ を提供することによって有意に改善されている。ｓ−ＧＤＨ の新規形態の改善基質特異性に起因して、種々の分野の適用におけるグルコース測定に対する有意な技術進歩が可能である。
【００２２】
発明の要旨：
他の選択された糖と比較して基質としてのグルコースに対する改善基質特異性を有するｓ−ＧＤＨ 変異体を提供することが可能であることが現在驚くべきことに見出されている。特にマルトースと比較して有意に高いグルコースに対する基質特異性を示す新規なｓ−ＧＤＨ バリアントが、開示される。
【００２３】
開示されるものはまた、野生型酵素と比較して本質的に等しい基質としてのグルコースに対する特異的活性を示すが他の選択された糖分子に対する活性は著しく減少している変異体ｓ−ＧＤＨ 分子である。
【００２４】
種々の他の基質分子のうちの１つに対する変異体の特異的活性のこのような比較は、野生型酵素（例えば、アシネトバクター・カルコアセチカス（Ａｃｉｎｅｔｏｂａｃｔｅｒ ｃａｌｃｏａｃｅｔｉｃｕｓ ）から単離されるような）の本来の酵素活性に基づき、野生型酵素の本来の酵素活性に関して計算される。
【００２５】
改善特徴、特に増加したグルコースに対する特異性を示す変異したｓ−ＧＤＨ タンパク質およびこのようなタンパク質をコードするポリヌクレオチド配列もまた、提供される。
【００２６】
３４８ 位および４２８ 位からなる群から選択されるＡ．ｃａｌｃｏａｃｅｔｉｃｕｓ 由来の公知のｓ−ＧＤＨ 野生型配列（配列番号：２４）の位置に対応するアミノ酸位置で少なくとも１つのアミノ酸置換を含むｓ−ＧＤＨ 変異体は、改善特徴、特にグルコースに対する改善特異性を有するｓ−ＧＤＨ 酵素を提供することがわかっている。３４８ 位で置換を含むバリアントは、グルコース特異性に著しいポジティブ効果を示す。
【００２７】
生物学的サンプル中のグルコースの特異的検出または測定に顕著な利点を有する改善ｓ−ＧＤＨ 変異体は、特に試験ストリップデバイスまたはバイオセンサーにおいて使用され得る。
【００２８】
以下の実施例、参考、配列表および図面は、本発明（その真の範囲は添付の特許請求の範囲に示される）の理解を助けるように提供される。示された手順における修飾が本発明の趣旨から逸脱せずになされ得ることが理解される。
【００２９】
発明の詳細な説明：
第一の態様において、本発明は、ＰＱＱ 依存性可溶性グルコースデヒドロゲナーゼ（ｓ−ＧＤＨ ）としてまた知られているＥＣ１．１．９９．１７ の可溶性形態の変異体に関し、この変異体は、対応する野生型酵素と比較して、および少なくとも１つの他の選択された糖基質に関して、少なくとも２倍改善されたグルコースに対する基質特異性を有することに特徴を有する。
【００３０】
本発明において与えられた方向は、ｓ−ＧＤＨ の任意の公知の単離物または未知の単離体に容易に適用される。これらの野生型単離体は、それらから作製されるバリアントに対する特異性における相対的な改善を評価するために使用され得る。
【００３１】
配列番号：２４に対応するＡｃｉｎｅｔｏｂａｃｔｅｒ ｃａｌｃｏａｃｅｔｉｃｕｓ 型株ＬＭＤ７９．４１の野生型酵素は、周知であり、充分に特徴付けられている。研究下の異なる野生型酵素が充分に特徴付けられていない場合、Ａｃｉｎｅｔｏｂａｃｔｅｒ ｃａｌｃｏａｃｅｔｉｃｕｓ 型株ＬＭＤ７９．４１由来のｓ−ＧＤＨ を参考として使用することは有利である。さらに好ましい態様において、ｓ−ＧＤＨ の改善バリアントの特徴は、この野生型酵素と比較される。従って、本発明はまた、ｓ−ＧＤＨ の変異体に関し、この変異体は、配列番号：２４の野生型酵素と比較して、および少なくとも１つの他の選択された糖基質に関して、少なくとも２倍増加したグルコースに対する基質特異性を有することに特徴を有する。
【００３２】
上記のように、共にＥＣ１．１．９９．１７ に分類されるグルコースデヒドロゲナーゼ活性を有する２つの完全に異なる酵素ファミリーが、今のところ特徴付けられている。しかし、これらの２つの酵素ファミリーは、互いに関連しないことが明らかである。
【００３３】
本発明の目的のため、ＧＤＨ の可溶性形態（ｓ−ＧＤＨ ）のみが関連し、その改善バリアントは、本明細書中で以下に考察される。
【００３４】
可溶性ＰＱＱ 依存性グルコースデヒドロゲナーゼの野生型ＤＮＡ 配列は、Ａｃｉｎｅｔｏｂａｃｔｅｒ の株から単離され得ることが当該分野で公知である。最も好ましいものは、Ａｃｉｎｅｔｏｂａｃｔｅｒ ｃａｌｃｏａｃｅｔｉｃｕｓ 型株ＬＭＤ７９．４１からの単離である。この野生型ｓ−ＧＤＨ （成熟タンパク質）の配列は、図１および配列番号：２４に与えられる。Ａｃｉｎｅｔｏｂａｃｔｅｒ の他のＬＭＤ 株はまた、野生型ｓ−ＧＤＨ の供給源として使用され得る。このような配列は、Ａ．ｃａｌｃｏａｃｅｔｉｃｕｓ から得られた配列に整列され、配列比較がなされ得る（図２を参照）。例えば、上記にＥ．ｃｏｌｉ Ｋ−１２ について記載される（Ｏｕｂｒｉｅ， Ａ．ら， Ｊ Ｍｏｌ Ｂｉｏｌ ２８９ （１９９９） ３１９−３３）ように他の細菌株のＤＮＡ ライブラリーをスクリーニングすること、およびこのようなゲノム中のｓ−ＧＤＨ に関する配列を同定することが可能であることが明らかでもある。このような配列および未だ未同定の相同配列は、グルコースに対する改善基質特異性を有するｓ−ＧＤＨ 変異体を作製するために使用され得る。
【００３５】
本発明の意義における用語「変異体」または「バリアント」は、対応する野生型配列と比較して少なくとも１つのアミノ酸置換を示すｓ−ＧＤＨ タンパク質に関する。当該分野における専門家は、このような変異ｓ−ＧＤＨ のポリペプチド配列をコードするポリヌクレオチドを産生するために種々の可能性があることを正しく認識する。もちろん、１つ以上のアミノ酸の付加または欠失を含む変異体を作製することも可能である。
【００３６】
本発明に従う変異体は、少なくとも１つの他の選択された糖基質と比較して対応する野生型酵素と比較して少なくとも２倍改善されたグルコースに対する基質特異性を有することに特徴を有する。
【００３７】
基質特異性または交差（ｃｒｏｓｓ ）反応性を算出するために、１つの簡易な方法は、基質としてグルコースを用いて測定された活性を１００ ％に設定し、他の選択された糖を用いて測定された活性をグルコースの値と比較することである。時には、重複しないように、単純に用語、特異性は、特別な参考なしに一方ではグルコースに対して、他方では選択された他の糖基質に対して使用される。
【００３８】
当該分野の専門家は、（反応）活性（（ｒｅ−）ａｃｔｉｖｉｔｙ ）の比較は、充分に定義されたアッセイ条件を用いて研究される基質分子の等モル濃度で最もよくなされることを正しく認識する。さもなければ、濃度における差の補正がなされるべきである。
【００３９】
標準化され、充分に定義されたアッセイ条件は、特異性（における改善）を評価するために選ばれるべきである。基質としてのグルコースおよび他の選択された糖基質に対するｓ−ＧＤＨ の酵素活性は、実施例６に記載されるように測定される。
【００４０】
これらの測定に基づいて、交差反応性および特異性（における改善）が評価される。
【００４１】
選択された糖に対するｓ−ＧＤＨ （交差）反応性％は、
交差反応性［ ％］ ＝（活性選択された糖／活性グルコース）×１００ ％
として計算される。
【００４２】
上記式に従う野生型ｓ−ＧＤＨ のマルトースに対する（交差）反応性は、約１０５ ％として決定されている。ガラクトースに対する野生型ｓ−ＧＤＨ （交差）反応性は、約５０％として測定されている（表１参照）。
【００４３】
（改善）特異性は、以下の式：
2004512047.tif 000003
に従って算出される。
【００４４】
野生型酵素と比較した場合、グルコース対マルトース（マルトース／グルコース）（従って、基質としてマルトースを有する）に対する特異性において少なくとも２倍改善を有するｓ−ＧＤＨ 形態は、基質としてグルコースを用いて測定した場合の活性のせいぜい５２．５％を有する。すなわち、例えば、変異体ｓ−ＧＤＨ が２０％（上記のように決定され、算出される）のマルトースに対する交差反応性を有する場合、従って、野生型ｓ−ＧＤＨ と比較してこの変異体は５．２５倍の改善基質特異性（マルトース／グルコース）を有する。
【００４５】
用語、基質に対する「特異的活性」は、当該分野で周知であり、好ましくはタンパク質の量あたりの酵素活性を記載するために使用される。基質としてグルコースまたは他の糖を用いてＧＤＨ 分子の特異的活性を決定するための種々の方法が当該分野で公知である（Ｉｇａｒａｓｈｉ， Ｓ．ら， Ｂｉｏｃｈｅｍ Ｂｉｏｐｈｙｓ Ｒｅｓ Ｃｏｍｍｕｎ ２６４（１９９９）８２０ ）。このような測定に利用可能な方法の１つは、実施例節に詳細に記載される。
【００４６】
多くの異なる糖分子を選択し、任意のこのような選択された糖分子と比較してｓ−ＧＤＨ のグルコース特異性を研究することは可能であるが、このような比較のため臨床的に関連性のある糖分子を選択することが好ましい。好ましい選択された糖は、マンノース、アロース、ガラクトース、キシロース、およびマルトースからなる群から選択される。より好ましくは、マルトースまたはガラクトースが選択され、変異体ｓ−ＧＤＨ は、ガラクトースまたはマルトースと比較したグルコースに対する改善基質特異性について試験される。さらに好ましい態様において、選択された糖は、マルトースである。
【００４７】
変異ｓ−ＧＤＨ のグルコース特異性（例えば、マルトース対グルコース）における改善がかなり相当であることが驚くべきことにわかっている。従って、選択された他の糖基質のうち少なくとも１つに対する基質特異性と比較してグルコースに対するこの基質特異性が少なくとも３倍改善されることがさらに好ましい。他の好ましい態様は、グルコースに対する改善基質特異性によって特徴付けられるｓ−ＧＤＨ 変異体を含む。この改善は、他の選択された糖分子と比較して少なくとも５倍より高く、または好ましくは少なくとも１０倍より高い。
【００４８】
ｓ−ＧＤＨ における変異は、多くの場合、強烈に減少した基質グルコースに対する特異的活性を有する酵素バリアントをもたらす。しかし、（絶対的なまたは全般的な）基質グルコースに対する特異的活性におけるこれらの減少は、慣用的な適用に決定的である。驚くことに、グルコースに対する改善特異性が劇的に減少した全般的な特異的活性に金を使う必要はないことがわかっている。従って、基質グルコースに対する改善特異性を有するｓ−ＧＤＨ は、野生型酵素を用いて測定した場合のグルコースに対する特異的活性の少なくとも１０％を示すことが好ましい。もちろん、このような変異酵素が野生型ｓ−ＧＤＨ の各自のグルコース活性の少なくとも２０％を示すことがより好ましく、少なくとも５０％がより好ましい。
【００４９】
さらに好ましい態様において、本発明は、ＰＱＱ 依存性可溶性グルコースデヒドロゲナーゼ（ｓ−ＧＤＨ ）としても知られているＥＣ１．１．９９．１７ の可溶性形態の変異体に関し、この変異体は、
ａ）グルコースに対する基質特異的反応性が本質的に野生型酵素と等しく、
ｂ）マルトースに対する基質特異的反応性が野生型酵素と比較して３０％以下である、
ことに特徴を有する。
【００５０】
野生型酵素のグルコースに対する元の酵素活性の少なくとも５０％が維持される場合、グルコースに対する基質特異的反応性（また特異的活性ともいう）は、野生型酵素に本質的に等しいと考えられる。好ましいものはまた、野生型酵素について測定される場合のグルコースに対する特異的活性の少なくとも８０％を示す変異体であり、より好ましくは少なくとも９０％である。
【００５１】
かなり驚くべきことに、野生型ｓ−ＧＤＨ と比較して本質的に等しいグルコースに対する酵素活性を示すが、それにもかかわらず、有意に減少した他の選択された糖、特にマルトースに対する基質特異的反応性を示すこのようなｓ−ＧＤＨ 変異体またはバリアントを得ることが可能であることが見出されている。グルコースに対する基質特異的反応性が野生型酵素に本質的に等しく、マルトースに対する基質特異的反応性が野生型酵素と比較して２０％以下であるという特徴を有する変異体が、好ましい。さらに好ましくは、マルトース特異的活性が対応する野生型酵素について測定される場合のマルトース特異的反応性の１５％またはたった１０％以下であり、一方、グルコースに対する特異的活性が対応する野生型酵素のグルコースに対する特異的活性に本質的に等しいこのような変異体である。
【００５２】
野生型酵素が充分に特徴付けられていない場合、Ａｃｉｎｅｔｏｂａｃｔｅｒ ｃａｌｃｏａｃｅｔｉｃｕｓ 型株ＬＭＤ７９．４１由来のｓ−ＧＤＨ を参考として使用することが好ましい。さらに好ましい態様において、ｓ−ＧＤＨ の改良バリアントの特徴はこの野生型酵素と比較され、従って、本発明は、ｓ−ＧＤＨ の変異体に関し、この変異体は、配列番号：２４の野生型酵素と比較して本質的に等しいグルコースに対する酵素活性を示すが、有意に減少した（少なくとも７０％より小さい）少なくとも１つのほかの選択された糖基質に対する基質特異的反応性を示すという特徴を有する。
【００５３】
意外なことに、改善基質特異性を有するｓ−ＧＤＨ 変異体を作製することが可能であることがわかっており、さらに意外なことに、その点において主要に関連するわずかな充分に定義されたアミノ酸位置であることがわかっている。
【００５４】
本発明の成功は、配列番号：２４、Ａｃｉｎｅｔｏｂａｃｔｅｒ ｃａｌｃｏａｃｅｔｉｃｕｓ 型株ＬＭＤ７９．４１から単離されるようなｓ−ＧＤＨ の野生型配列由来の公知のアミノ酸位置を参考することによってかなり詳細に記載される。配列番号：２４の位置に対応する異なるｓ−ＧＤＨ 単離体におけるアミノ酸位置は、適切な配列比較によって容易に同定される。好ましくは、ＰｉｌｅＵｐプログラムは、このような配列間の相同性または同一性を評価するために使用される。以下本明細書中に提供されるアミノ酸位置は、特定の参考が異なる配列番号または異なるｓ−ＧＤＨ 単離体になされない限り、配列番号：２４または他のｓ−ＧＤＨ 分子においてそれに対応する位置のアミノ酸位置として理解されるはずである。重複を避けるために、わずかな場合のみ、異なる単離体における対応する位置が同じ方法で修飾され得るという事実に続く性質が与えられ、一方、ほとんどの場合は便利さのため単純に配列番号：２４由来の対応する位置のみが使用される。
【００５５】
アミノ酸置換をｓ−ＧＤＨ の３４８ 位に対応する位置で含む変異体は、グルコースに対する特異性に著しい影響を示すことが見出されている。表１に示されるように、少なくともスレオニン３４８ 位のアミノ酸（Ａ．ｃａｌｃｏａｃｅｔｉｃｕｓ 由来の野生型ｓ−ＧＤＨ 配列位置に対応する）が適切な他のアミノ酸で置換される限り、グルコースに対する改善特異性を有する種々のｓ−ＧＤＨ バリアントが同定され、作製され得る。
【００５６】
従って、本発明の好ましい実施形態は、Ａ．ｃａｌｃｏａｃｅｔｉｃｕｓ 由来の公知のｓ−ＧＤＨ 野生型配列（配列番号：２４）の３４８ 位に対応するアミノ酸位置でアミノ酸残基置換を含むＰＱＱ 依存性ｓ−ＧＤＨ の変異タンパク質に関する。
【００５７】
配列番号：２４の３４８ 位および４２８ 位に対応するアミノ酸位置でアミノ酸の複合置換が、グルコースに対する有意な改善特異性を有するｓ−ＧＤＨ 変異体またはバリアントを作製するために有利であることもまた、見出されている。
【００５８】
Ａｃｉｎｅｔｏｂａｃｔｅｒ ｃａｌｃｏａｃｅｔｉｃｕｓ 型株ＬＭＤ７９．４１から単離されるｓ−ＧＤＨ の残基３４８ および４２８ が、ｓ−ＧＤＨ の基質結合に寄与することは当該分野では公知ではない（Ｏｕｂｒｉｅ， Ａ．ら， Ｅｍｂｏ Ｊ １８ （１９９９） ５１８７−９４；Ｏｕｂｒｉｅ， Ａ． およびＤｉｊｋｓｔｒａ， Ｂ． Ｗ．， Ｐｒｏｔｅｉｎ Ｓｃｉ ９ （２０００） １２６５−７３ ）。これらのアミノ酸残基の置換が目的の他の糖分子と比較してグルコースに対するｓ−ＧＤＨ の基質特異性を変更する化学的または物理的説明は手近ではない。
【００５９】
さらに、アミノ酸７６の置換もまたｓ−ＧＤＨ のグルコース特異性にポジティブな影響を有することが見出されている。
【００６０】
さらに好ましい態様において、変異ｓ−ＧＤＨ は、３４８ 位でのアミノ酸残基スレオニンがアラニン、グリシン、およびセリンからなる群から選択されたアミノ酸残基で置換されることに特徴付けられる。最も好ましい態様において、グリシンは、３４８ 位でスレオニンを置換するために使用される。
【００６１】
本発明に従う好ましいｓ−ＧＤＨ バリアントの１つの群は、３４８ 位および以下の７６、１４３ 、１６８ 、１６９ および４２８ 位のうち少なくとも１つでアミノ酸残基の置換を含む。
【００６２】
まださらなる態様において、ＰＱＱ 依存性ｓ−ＧＤＨ の変異タンパク質は、Ａｃｉｎｅｔｏｂａｃｔｅｒ ｃａｌｃｏａｃｅｔｉｃｕｓ 由来の対応する野生型配列の４２８ 位でアミノ酸残基置換を含む。この野生型配列のアスパラギン残基は、他の適切なアミノ酸残基で置換される。好ましくは、このようなアミノ酸残基は、ロイシン、プロリンおよびバリンからなる群から選択される。４２８ 位のアスパラギンをプロリンで置換することが好ましい。
【００６３】
７６位アミノ酸グルタミンが置換されて、他の糖分子とのｓ−ＧＤＨ 交差反応性によって負う問題を改善し得ることがさらに提供される。この配列位置に対応する他のｓ−ＧＤＨ 単離体の配列位置は、配列番号：３に基づく相同性探索によって容易に同定される。従って、別の好ましい態様において、本発明に従う変異体は、Ａｃｉｎｅｔｏｂａｃｔｅｒ ｃａｌｃｏａｃｅｔｉｃｕｓ 由来の対応する野生型配列の７６位でグルタミンの置換を含む。
【００６４】
配列番号：２４の７６位に対応する位置でのこのような置換において使用されるアミノ酸をアラニン、アスパラギン酸、グルタミン酸、グリシン、メチオニン、プロリンおよびセリンからなる群から選択することが好ましい。
【００６５】
上記のように、Ａ． ｃａｌｃｏａｃｅｔｉｃｕｓから単離された野生型配列に対応するｓ−ＧＤＨ 配列の３４８ 位におけるアミノ酸の置換は、ｓ−ＧＤＨ のグルコース特異性を有意に改善するために使用され得る。さらに改善された変異体が、少なくとも２つのアミノ酸置換を含む変異ｓ−ＧＤＨ タンパク質を提供することによって得られ、配列番号：２４のアミノ酸３４８ 位に対応するアミノ酸が置換される。
【００６６】
従って、本発明のさらなる態様は、Ａ． ｃａｌｃｏａｃｅｔｉｃｕｓ由来の公知のｓ−ＧＤＨ 野生型配列（配列番号：２４）の位置に対応するアミノ酸位置で少なくとも２つのアミノ酸残基置換を含む変異ｓ−ＧＤＨ であり、この置換されたアミノ酸位置は、１６、２２、７６、１１６ 、１２０ 、１２７ 、１４３ 、１６８ 、１６９ 、１７１ 、１７７ 、２２７ 、２３０ 、２３１ 、２４５ 、２５５ 、２７７ 、２９５ 、２９９ 、３０８ 、３１７ 、３４１ 、３４８ 、３４９ 、３５５ 、４２２ 、４２８ および４３８ 位からなる群から選択され、アミノ酸残基Ｔ３４８が置換される。少なくとも２つの置換されたアミノ酸残基を有するｓ−ＧＤＨ バリアントが３４８ 位における置換ならびに７６、１４３ 、１６８ 、１６９ 、および４２８ 位を含む位置の群から選択される少なくとも１つの付加置換を含むことがさらに好ましい。
【００６７】
さらに好ましい態様において、変異ｓ−ＧＤＨ において置換される少なくとも２つのアミノ酸位置は、アミノ酸７６、３４８ 、および／または４２８ 位からなる群から選択される。
【００６８】
３４８ 位および４２８ 位に対応するアミノ酸残基での置換を含む変異体は、他の糖基質と比較してグルコースに対するｓ−ＧＤＨ の特異性を改善するのに非常に有利として見出されている。３４８ 位および４２８ 位の両方で置換を含むｓ−ＧＤＨ の変異体を設計し、選択することが特に好ましい。最も好ましいものは、上記のような好ましい置換をこれらの位置の両方で含む変異体である。Ｔ３４８Ｇ およびＮ４２８Ｐ を含むｓ−ＧＤＨ バリアントが最も好ましい。
【００６９】
用語Ｔ３４８Ｇ およびＮ４２８Ｐ は、３４８ 位のスレオニンがグリシンで置換され、４２８ 位のグルタミンがプロリンで置換されることを示すとして当該分野で公知である。
【００７０】
さらに３４８ 位および４２８ 位の置換、ならびに７６位、１２７ 位および１４３ 位の置換を含む変異ｓ−ＧＤＨ タンパク質も、本発明の好ましい態様を示す。
【００７１】
本発明に従う変異ｓ−ＧＤＨ タンパク質のさらに好ましい例は、７６位および３４８ 位でアミノ酸置換を含み、またこのような変異体は７６位および４２８ 位でも置換を含む。まだ別の好ましい態様において、本発明に従う変異ｓ−ＧＤＨ タンパク質は、７６位、３４８ 位および４２８ 位でアミノ酸残基の置換を含む。
【００７２】
まださらに好ましい態様において、本発明に従うｓ−ＧＤＨ バリアントは、少なくとも３つのアミノ酸置換を含み、この少なくとも３つの置換されたアミノ酸残基は、Ａ． ｃａｌｃｏａｃｅｔｉｃｕｓ由来の公知のｓ−ＧＤＨ 野生型配列（配列番号：２４）のアミノ酸位置に対応し、この置換されたアミノ酸位置は、１７１ 、２２７ 、２３０ 、２４５ 、３４１ 、３４８ 、３４９ 、および４２８ 位からなる群から選択され、アミノ酸残基Ｔ３４８およびＮ４２８の両方が置換される。好ましくは、このような３重変異体は、以下の置換：Ｙ１７１Ｇ 、Ｈ２２７Ｆ 、Ｐ２３０Ｈ 、Ｅ２４５Ｄ またはＭ３４１Ｖ のうちの少なくとも１つを含む。
【００７３】
グルコースに対する高い改善特異性を有する好ましいｓ−ＧＤＨ バリアントは、２４５ 位または３４１ 位、あるいは両方での置換と組み合わせた３４８ 位および４２８ 位での置換を含む。
【００７４】
アミノ酸配列分析は、一方でＡ． ｃａｌｃｏａｃｅｔｉｃｕｓ由来、他方でＡ． ｂａｕｍａｎｎｉｉ由来の野生型ｓ−ＧＤＨ に見出される配列目標がＡ． ｃａｌｃｏａｃｅｔｉｃｕｓ由来の野生型ｓ−ＧＤＨ に対応する本発明において同定されたグルコースに対する特異性の改善に主に関連する位置あたり、すなわち７６、３４８ 、および４２８ 位で非常に保存的であることが明白になることを表す（図２参照）。
【００７５】
従って、本発明に従う好ましい態様は、ＷＰＸａａＶＡＰＳ のアミノ酸配列（配列番号：１）を含むＰＱＱ 依存性ｓ−ＧＤＨ の変異タンパク質であり、このＸａａ 残基は、スレオニン以外のアミノ酸残基である。配列番号：１は、Ａ． ｃａｌｃｏａｃｅｔｉｃｕｓ野生型ｓ−ＧＤＨ の３４６ 〜３５２ 位またはＡ． ｂａｕｍａｎｎｉｉ野生型ｓ−ＧＤＨ の３４７ 〜３５３ 位に対応する。
【００７６】
さらに好ましいものは、ｓ−ＧＤＨ 変異体であり、配列番号：１におけるＸａａ は、アラニン、グリシンまたはセリンを示し、最も好ましくは、Ｘａａ はグリシンを示す。
【００７７】
ＴＡＧＸａａＶＱＫ のアミノ酸配列（配列番号：２）を含み、Ｘａａ 残基がアスパラギン以外のアミノ酸残基であるＰＱＱ 依存性ｓ−ＧＤＨ の変異体は、本発明の別の好ましい態様である。配列番号：２は、Ａ． ｃａｌｃｏａｃｅｔｉｃｕｓ野生型ｓ−ＧＤＨ の４２５ 〜４３１ 位またはＡ． ｂａｕｍａｎｎｉｉ野生型ｓ−ＧＤＨ の４２６ 〜４３２ 位に対応する。
【００７８】
好ましくは、配列番号：２を含むｓ−ＧＤＨ 変異体は、Ｘａａ 残基がロイシン、プロリンおよびバリンからなる群から選択され、最も好ましくはＸａａ がプロリン残基であることに特徴を有する。
【００７９】
変異タンパク質を産生する多数の可能性は、当該分野で公知である。アミノ酸３４８ 位および４２８ 位の重大な重要性および７６位の有用性を開示する本発明の重要な知見に基づき、当業者は、ここで、ｓ−ＧＤＨ のさらに適切なバリアントを容易に産生し得る。例えば、このようなバリアントは、無作為変異誘発（Ｌｅｕｎｇ， Ｄ． Ｗ．ら， Ｔｅｃｈｎｉｑｕｅ １ （１９８９） １１−１５）および／または直接変異誘発（Ｈｉｌｌ， Ｄ． Ｅ． ら， Ｍｅｔｈｏｄｓ Ｅｎｚｙｍｏｌ １５５ （１９８７） ５５８−６８ ）として公知の方法によって得られ得る。所望の特徴を有するタンパク質を産生する代替方法は、少なくとも２つの異なる供給源由来の配列エレメントを含むキメラ構造体を提供すること、または適切なｓ−ＧＤＨ 遺伝子を完全に合成することである。当該分野で公知のこのような手順は、本発明に開示される情報と組み合わせて使用されて、配列番号：２４の３４８ 位、および／または４２８ 位に対応する配列位置で少なくとも１つのアミノ酸置換を含むｓ−ＧＤＨ の変異体またはバリアントを提供し得る。
【００８０】
本発明のｓ−ＧＤＨ バリアントは、例えば、Ａｃｉｎｅｔｏｂａｃｔｅｒ ｃａｌｃｏａｃｅｔｉｃｕｓ 型株ＬＭＤ７９．４１から単離されたｓ−ＧＤＨ 遺伝子から出発することにより、ならびに相同配列から出発することにより、作製されうる。本明細書の文脈において、用語「相同」は、配列番号：２４と比べて配列相同性が少なくとも９０％である条件で、他の微生物から単離された野生型ｓ−ＧＤＨ を含むことが意味される。言い換えれば、ＰｉｌｅＵｐプログラムを用いる適切なアラインメントの後、ｓ−ＧＤＨ のアミノ酸の少なくとも９０％が、配列番号：２４に記載のアミノ酸と同一である。
【００８１】
種々のＤＮＡ およびアミノ酸配列は、天然に存在するか、または当該分野で公知の方法を用いて計画的に導入されうることが理解される。これらのバリエーションは、配列番号：２４と比べて前記配列における１つ以上のアミノ酸残基の欠失、置換、挿入、逆位または付加により、全体的な配列において１０％までアミノ酸の差異を生じうる。かかるアミノ酸置換は、例えば、関与する残基の極性、電荷、溶解性、疎水性、親水性および／または両親媒性の性質における類似点に基づいてなされうる。例えば、負に帯電したアミノ酸としては、アスパラギン酸およびグルタミン酸が挙げられる；正に帯電したアミノ酸としては、リジンおよびアルギニンが挙げられる；類似の親水性の値を有する非帯電極性ヘッド基（ｈｅａｄ ｇｒｏｕｐｓ） または非極性ヘッド基を有するアミノ酸としては、以下のものが挙げられる：ロイシン、イソロイシン、バリン、グリシン、アラニン、アスパラギン、グルタミン、セリン、スレオニン、フェニルアラニン、チロシン。他の予期されるバリエーションとしては、前記ポリペプチドの塩およびエステルならびに前記ポリペプチドの前駆体、例えばリーダー配列として用いられるメチオニン、Ｎ−ホルミルメチオニンなどのＮ−末端置換を有する前駆体が挙げられる。かかるバリエーションは、本発明の範囲および精神から必然的逸脱することなくなされうる。
【００８２】
当該分野で公知の手順によりまたは実施例の部分で与えられた手順により、上記任意のｓ−ＧＤＨ 変異体をコードするポリヌクレオチド配列を得ることが可能である。したがって、本発明はまた、上記ｓ−ＧＤＨ 変異体タンパク質をコードする単離されたポリヌクレオチド配列を含む。
【００８３】
本発明はさらに、宿主細胞においてその発現を指向し得るプロモーター配列に操作可能に連結された本発明の核酸配列を含有する発現ベクターを含む。
【００８４】
本発明はさらに、宿主細胞においてその発現を指向し得るプロモーター配列に操作可能に連結された本発明の核酸配列を含有する発現ベクターを含む。好ましいベクターは、図３および４に示されるｐＡＣＳＧＤＨ などのプラスミドである。
【００８５】
本発明に有用な発現ベクターは、典型的には、複製起点、ＤＮＡ 配列の上流に位置するプロモーターを含み、ｓ−ＧＤＨ バリアントの全部または一部をコードするＤＮＡ 配列に続く。ｓ−ＧＤＨ バリアントの全部または一部をコードするＤＮＡ 配列は、転写終結配列および残りのベクターに続く。発現ベクターはまた、当該分野で公知の他のＤＮＡ 配列、例えば、発現産物の安定性を提供する安定性リーダー配列、発現産物の分泌を提供する分泌リーダー配列、構造遺伝子の発現が調節される（例えば、増殖培地における栄養素または他の誘導物質の存在または不在により）ことを可能にする配列、形質転換された宿主細胞において表現型選択を提供しうるマーキング配列、および制限エンドヌクレアーゼによる切断のための部位を提供する配列を含みうる。
【００８６】
使用される実際の発現ベクターの特性は、使用される宿主細胞に適合する必要がある。例えば、大腸菌細胞系でクローニングされる場合、発現ベクターは、大腸菌細胞のゲノムから単離されたプロモーター（例えば、ｌａｃ またはｔｒｐ ）を含むであろう。大腸菌の様々な宿主における適切な複製起点としては、例えば、ＣｏｌＥ１ プラスミド複製起点が挙げられる。適切なプロモーターとしては、例えば、ｌａｃ およびｔｒｐ が挙げられる。発現ベクターが、選択可能マーカーをコードする配列を含むこともまた好ましい。選択可能マーカーは、好ましくは抗生物質耐性遺伝子である。選択可能マーカーとして、アンピシリン耐性またはカナマイシン耐性が、都合よく使用されうる。これらの物質の全ては、当該分野で公知であり、市販されている。
【００８７】
所望のコード配列および制御配列を含む適切な発現ベクターは、当該分野で公知の標準の組換えＤＮＡ 技術を用いて構築され得、その多くが、Ｓａｍｂｒｏｏｋら（１９８９）に記載される。
【００８８】
本発明はさらに、変異体ｓ−ＧＤＨ の全部または一部をコードするＤＮＡ 配列を含有する発現ベクターを含む宿主細胞に関する。宿主細胞は、好ましくは、表１に示される１つ以上の変異を有するＤＮＡ 配列のうちの１つの全部または一部を含有する発現ベクターを含む。さらに好ましいのは、変異体ｓ−ＧＤＨ の全部または一部の複製および／または発現を指向しうる、ならびに変異体ｓ−ＧＤＨ の全部または一部をコードするＤＮＡ 配列に操作可能に連結された１つ以上の調節ＤＮＡ 配列を含有する発現ベクターを含む宿主細胞である。適切な宿主細胞としては、例えば、Ｐｏｍｅｇａ（２８００ Ｗｏｏｄｓ Ｈｏｌｌｏｗ Ｒｏａｄ， Ｍａｄｉｓｏｎ， ＷＩ， ＵＳＡ）から市販される大腸菌ＨＢ１０１（ＡＴＣＣ３３６９４）、Ｓｔｒａｔａｇｅｎｅ（１１０１１ Ｎｏｒｔｈ Ｔｏｒｒｅｙ Ｐｉｎｅ Ｒｏａｄ， Ｌａ Ｊｏｌｌａ， ＣＡ， ＵＳＡ） から市販されるＸＬ１−Ｂｌｕｅ ＭＲＦなどが挙げられる。
【００８９】
発現ベクターは、当該分野で公知の種々の方法により宿主細胞に導入されうる。例えば、発現ベクターを用いた宿主細胞の形質転換が、ポリエチレングリコール媒介プロトプラスト形質転換法（Ｓａｍｂｒｏｏｋ ら、１９８９） により行われうる。しかしながら、発現ベクターを宿主細胞に導入する他の方法、例えば、エレクトロポレーション、ビオリシス（ｂｉｏｌｉｓｔｉｃ） 注射またはプロトプラスト融合法もまた、使用されうる。
【００９０】
一度ｓ−ＧＤＨ バリアントを含む発現ベクターが適切な宿主細胞に導入されると、宿主細胞は、所望のｓ−ＧＤＨ バリアントの発現を可能にする条件下で培養されうる。変異体ｓ−ＧＤＨ の全部または一部をコードするＤＮＡ 配列を含む発現ベクターを含む宿主細胞は、例えば、以下の一般的なアプローチ：ＤＮＡ ハイブリダイゼーション、マーカー遺伝子機能の存在または不在、宿主細胞におけるｓ−ＧＤＨ ｍＲＮＡ転写物の産生により測定される転写レベルの評価、および遺伝子産物の免疫学的検出の１つ以上により、同定される。好ましくは、形質転換された宿主細胞は、酵素アッセイ、例えば、比色検出により同定される。
【００９１】
本発明はまた、ｓ−ＧＤＨ バリアントの生成およびスクリーニングを教示する。ランダム変異誘発（ｒａｎｄｏｍ ｍｕｔａｇｅｎｅｓｉｓ）および飽和変異誘発（ｓａｔｕｒａｔｉｏｎ ｍｕｔａｇｅｎｅｓｉｓ）は、当該分野で公知のように行われうる。バリアントは、グルコース、マルトースならびに他の糖に対する基質特異性に対して解析される。選択されたアッセイ条件は、例えば、単一アミノ酸置換により生じた予測された小さい増加が測定されうることを確実にするために適合される。これは、野生型（または親）酵素活性がより低い検出限界に近づくようにアッセイ条件を調節することにより達成される。適切な変異体の選択またはスクリーニングの１つの形態は、実施例３に示される。このような野生型酵素と比較した任意の変化または改善が、明らかに検出されうる。
【００９２】
もちろん、全ての発現ベクターおよびＤＮＡ 調節配列が、本発明のＤＮＡ 配列を発現するのに同等に良好に機能するというわけではないことが理解されるであろう。全ての宿主細胞が、同一の発現系を用いて、同等に良好に機能するというわけでもない。しかしながら、当業者は、本明細書で提供されるガイダンスを用いて、過度の実験無くかつ本発明の範囲を逸脱すること無く、発現ベクター、ＤＮＡ 調節配列および宿主細胞の中から選択しうる。
【００９３】
本発明はまた、本発明の変異体ｓ−ＧＤＨ の産生に適切な条件下で本発明の宿主細胞を培養することを含む、本発明のｓ−ＧＤＨ バリアントの産生方法に関する。細菌宿主細胞に関して、代表的な培養条件は、適切な抗生物質および誘導剤を含む液体培地である。代表的な適切な抗生物質としては、アンピシリン、カナマイシン、クロラムフェニコール、テトラサイクリンなどが挙げられる。代表的な誘導剤としては、ＩＰＴＧ、グルコース、ラクトースなどが挙げられる。
【００９４】
本発明のポリペプチドは、変異体ｓ−ＧＤＨ をコードするＤＮＡ 配列を発現する宿主細胞において産生することにより得られるのが好ましい。本発明のポリペプチドはまた、変異体ｓ−ＧＤＨ をコードするＤＮＡ 配列によりコードされるｍＲＮＡのインビトロ翻訳により得られうる。例えば、ＤＮＡ 配列は、前記のように合成され、適切な発現ベクターに挿入され得、次にインビトロ転写／翻訳系において使用されうる。
【００９５】
無細胞ペプチド合成系においてその発現を促進しうるプロモーター配列に操作可能に連結された上記で定義され説明された単離ポリヌクレオチドを含有する発現ベクターは、本発明の他の好ましい態様を表す。
【００９６】
例えば、上記手順により産生されたポリペプチドは、次に種々の慣例のタンパク質精製技術を用いて単離および精製されうる。例えば、イオン交換クロマトグラフィー、ゲル濾過クロマトグラフィーおよびアフィニティークロマトグラフィーなどのクロマトグラフィー手順が使用されうる。
【００９７】
本発明の改善されたｓ−ＧＤＨ バリアントの主要な適用の１つは、糖尿病患者における血液グルコースレベルをモニターするための試験片における使用に対する。ＰＱＱ 依存グルコースデヒドロゲナーゼの酸素に対する非感受性のために、改善されたｓ−ＧＤＨ バリアントを用いるシステムは、グルコースオキシダーゼに基づくシステムよりも酸素による妨害の傾向が少ない。より重要には、ｓ−ＧＤＨ バリアントはグルコースに対する改善された特異性および他の糖に対する有意に低減された相対酵素活性を有するので、解析されるサンプル中に存在しうるマルトース、ガラクトースおよび／または他の関連する糖による妨害が有意に低減される。もちろん、多種のサンプルが調査されうる。血清、血漿、腸液または尿などの体液が、かかるサンプルに対する好ましい供給源である。
【００９８】
本発明はまた、本発明のｓ−ＧＤＨ 変異体を使用するサンプルにおけるグルコースの検出、決定または測定方法を含む。サンプル中のグルコースの改善された検出方法は、前記グルコースの検出、決定または測定が、センサーまたは試験片装置を用いて行なわれることを特徴とすることが、特に好ましい。
【００９９】
本発明のｓ−ＧＤＨ 変異体を含有するサンプルにおけるグルコースの検出または測定のための装置ならびに該測定に必要な他の試薬もまた、本発明の範囲内である。
【０１００】
本発明の改善された基質特異性を有するｓ−ＧＤＨ バリアントはまた、サンプルまたは反応器中のグルコースのオンラインモニタリングのためのバイオセンサー（Ｄ’Ｃｏｓｔａ， Ｅ．Ｊ．ら、Ｂｉｏｓｅｎｓｏｒｓ ２ （１９８６） ７１−８７； Ｌａｕｒｉｎａｖｉｃｉｕｓ， Ｖ．ら、Ａｎａｌｙｔｉｃａｌ Ｌｅｔｔｅｒｓ ３２ （１９９９） ２９９−３１６；Ｌａｕｒｉｎａｖｉｃｉｕｓ， Ｖ．ら、Ｍｏｎａｔｓｈｅｆｔｅ Ｆｕｅｒ Ｃｈｅｍｉｅ １３０ （１９９９） １２６９−１２８１） において非常に有利に使用されうる。この目的のために、ｓ−ＧＤＨ バリアントは、例えば、グルコース濃度のより正確な決定のために、酸化還元伝導エポキシネットワークを含むオスミウム錯体（Ｙｅ ら、１９９３、上記） を有する酸素非感受性ガラス電極を被覆するために使用されうる。
【０１０１】
本発明の改善された基質特異性を有するｓ−ＧＤＨ バリアントの他の見込みのある適用がまたある。例えば、これらのｓ−ＧＤＨ バリアントは、アルドン酸作製方法において使用されうる。野生型ｓ−ＧＤＨ は、グルコン酸および他のアルドン酸を作製する基質酸化において高いターンオーバーを有する。グルコースに対してより特異的なｓ−ＧＤＨ バリアントを使用することにより、グルコン酸の作製は、ほとんど副産物を生じない。異なる基質特異性の他のｓ−ＧＤＨ バリアントを用いると、必要とする異なるアルドン酸を作製することが可能である。
【０１０２】
以下の実施例において、全ての試薬、制限酵素および他の物質は、他の市販源が記載されない限りＲｏｃｈｅ Ｄｉａｇｎｏｓｔｉｃｓ Ｇｅｒｍａｎｙ より得られ、供給者により与えられた説明書に従って用いた。ＤＮＡ の精製、特徴付けおよびクローニングに使用した操作および方法は、当該分野において周知であり（Ａｕｓｂｅｌ， Ｆ． ら、「分子生物学における現在のプロトコル」（１９９４）， Ｗｉｌｅｙ Ｖｅｒｌａｇ） 、当業者により必要なように適合されうる。
【０１０３】
以下の実施例は、本発明をさらに説明する。これらの実施例は、本発明の範囲の限定を意図しないが、本発明のさらなる理解を提供する。
【０１０４】
実施例１
野生型Ａ．ｃａｌｃｏａｃｅｔｉｃｕｓ 可溶性ＰＱＱ 依存グルコースデヒドロゲナーゼの大腸菌におけるクローニングおよび発現
標準手順により、Ａｃｉｎｅｔｏｂａｃｔｅｒ ｃａｌｃｏａｃｅｔｉｃｕｓ 株ＬＭＤ７９．４１からｓ−ＧＤＨ 遺伝子を単離した。調整可能発現のためにｍｇｌ プロモーターを含むプラスミドに野生型ｓ−ＧＤＨ 遺伝子をサブクローニングした（特許出願ＷＯ８８／０９３７３を参照）。新規構築物を、ｐＡＣＳＧＤＨ と呼んだ（図３ および４ を参照のこと）。大腸菌群から選ばれた宿主生物体に組換えプラスミドを導入した。次に、これらの生物体を適切な条件下で培養し、ｓ−ＧＤＨ 活性を示すコロニーを選択した。
【０１０５】
ＱＩＡＧＥＮ Ｐｌａｓｍｉｄ Ｍａｘｉ Ｋｉｔ（Ｑｉａｇｅｎ） を製造業者のプロトコルにより用いて、上記クローンの一晩培養物２００ｍｌ から、プラスミドｐＡＣＳＧＤＨ を単離した。プラスミドを１ｍｌ のｂｉｄｅｓｔ． 水に再懸濁させた。プラスミドの濃度をベックマンＤＵ７４００光度計を用いて決定した。収量は、６００ μｇ であった。次に、プラスミドの特性を、アガロースゲル電気泳動により決定した。
【０１０６】
実施例２：
変異誘発ＰＣＲ
ｓ−ＧＤＨ 遺伝子においてランダム変異を生じさせるために、変異誘発ＰＣＲ （ポリメラーゼ連鎖反応）を行った。ｐＡＣＳＧＤＨ プラスミドおよび変異酵素をコードするＤＮＡ 配列（変異誘発ＰＣＲ からのＰＣＲ 産物）を、制限酵素Ｓｐｈ Ｉ およびＥｃｏ ＲＩを用いて消化した。産物をゲル精製した。消化したＤＮＡ 配列を連結させ、連結反応混合物のアリコートを使用して、コンピテント大腸菌細胞を形質転換した。次に、アンピシリンを含むＬＢプレート上で、形質転換体を選択した。
【０１０７】
アッセイのために、個々のコロニーを選択し、アンピシリンを含むＬＢ培地中で一晩増殖させ、スクリーニングに供した（実施例３参照）。
【０１０８】
変異誘発ＰＣＲ 反応混合物：
４０ｎｇ ｐＡＣＳＧＤＨ
１ ×ＭｇＣｌ２ 無含有バッファー （Ｒｏｃｈｅ Ｄｉａｇｎｏｓｔｉｃｓ ＧｍｂＨ，Ｃａｔ．１６９９ １０５）
ｄＣＴＰ，ｄＴＴＰ １ｍＭ
ｄＡＴＰ，ｄＧＴＰ ０．２ｍＭ（Ｒｏｃｈｅ Ｄｉａｇｎｏｓｔｉｃｓ ＧｍｂＨ，Ｃａｔ．１９６９ ０６４）
４０ ｐｍｏｌ　ＧＦ２３−プライマー（５’−ＣＧＣ ＧＣＡ ＣＧＣ ＧＣＡ ＴＧＣ ＣＧＣ ＣＧＡ ＴＧＴ ＴＣ） （＝配列番号：４）
４０ ｐｍｏｌ ＧＲ２３（５’−ＧＡＣ ＧＧＣ ＣＡＧ ＴＧＡ ＡＴＴ ＣＴＴ ＴＴＣ ＴＡ） （＝配列番号：５）
７ｍＭ ＭｇＣｌ２
０．６ｍＭ ＭｎＣｌ２
５Ｕ Ｔａｑ ＤＮＡポリメラーゼ（Ｒｏｃｈｅ Ｄｉａｇｎｏｓｔｉｃｓ ＧｍｂＨ，Ｃａｔ．１１４６ １６５）
Ｇｅｎｅ Ａｍｐ ＰＣＲ Ｓｙｓｔｅｍ ２４００（Ｐｅｒｋｉｎ Ｅｌｍｅｒ）， ３０サイクル：９５℃ １分、４５℃ ２分、７２℃ ２分
【０１０９】
−　Ｒｏｃｈｅ Ｄｉａｇｎｏｓｔｉｃｓ ＧｍｂＨ（Ｃａｔ．１ ７３２ ６７６） の高純度ＰＣＲ 産物精製キットを製造業者のプロトコルに従って用いたＰＣＲ 産物の精製。
【０１１０】
−　１ ×バッファーＨ （Ｒｏｃｈｅ Ｄｉａｇｎｏｓｔｉｃｓ ＧｍｂＨ，Ｃａｔ．１ ４１７ ９９１）中一晩３７℃での２５Ｕ ＳｐｈＩ（Ｒｏｃｈｅ Ｄｉａｇｎｏｓｔｉｃｓ ＧｍｂＨ，Ｃａｔ．６０６ １２０）を用いたＰＣＲ 断片の消化；２５Ｕ ＥｃｏＲＩ （Ｒｏｃｈｅ Ｄｉａｇｎｏｓｔｉｃｓ ＧｍｂＨ，Ｃａｔ．７０３ ７３７）の添加およびさらなる３．５ 時間の消化。
【０１１１】
−　１ ×バッファーＨ 中４時間３７℃での１８０Ｕ ＳｐｈＩ および１８０Ｕ ＥｃｏＲＩを用いた５０μｇ のｐＡＣＳＧＤＨ の消化。
【０１１２】
−　アガロースゲル（０．８ ％）を用いた消化ｐＡＣＳＧＤＨ および消化断片のゲル電気泳動。
【０１１３】
−　ＱＩＡｑｕｉｃｋゲル抽出キット（Ｑｉａｇｅｎ， Ｃａｔ．２８７０６ ）を製造業者のプロトコルにより用いたＤＮＡ 分子の抽出。
【０１１４】
−　ベックマンＤＵ７４００光度計を用いた断片および消化ベクターの濃度の決定。
【０１１５】
−　アガロースゲル電気泳動による精製産物の特性の決定。
【０１１６】
−　一晩１６℃での２０μｌ 容量中１Ｕ Ｔ４−ＤＮＡ−リガーゼ（Ｒｏｃｈｅ Ｄｉａｇｎｏｓｔｉｃｓ ＧｍｂＨ，Ｃａｔ．４８１ ２２０）を用いた、 １００ｎｇの消化ベクターの １４０ｎｇのｍＰＣＲ断片との連結。
【０１１７】
−　ＢｉｏＲａｄ Ｅ．ｃｏｌｉ Ｐｕｌｓｅｒ（ＢｉｏＲａｄ）を用いた、０．２ｃｍ キュベット中の２．５ ｋＶでの１ μｌ の連結反応でのエレクトロコンピテントＸＬ１Ｆ細胞（Ｓｔｒａｔａｇｅｎｅ）のエレクトロポレーション。
【０１１８】
−　１ｍｌ のＬＢ中１時間３７℃での増殖後、ＬＢ−アンピシリン寒天プレート上（１００μｇ ／ｍｌ アンピシリン） に細菌を置き、一晩３７℃で増殖させた。
【０１１９】
−　変異ｓ−ＧＤＨ を発現するこれらのクローンの５０％が、以下のスクリーニング方法を用いて活性であった。
【０１２０】
実施例３：
スクリーニング
上記寒天プレート上の変異体コロニーを、２００ μｌ のＬＢ−アンピシリン培地／ウェルを含むマイクロタイタープレート（ｍｔｐ） に選びとり、一晩３７℃でインキュベートした。これらのプレートをマスタープレートと呼ぶ。
【０１２１】
各マスタープレートから、５ μｌ サンプル／ウェルを、細胞破壊のために５ μｌ ｐｅｒ ／ウェルのＢ （Ｂ＝細菌タンパク質抽出試薬；Ｐｉｅｒｃｅ Ｎｏ．７８２４８）を含むｍｔｐ に移し、ｓ−ＧＤＨ の活性化のために２４０ μｌ の０．０５５６ｍＭピロロキノリンキノン（ＰＱＱ）；５０ｍＭ Ｈｅｐｅｓ；１５ｍＭ ＣａＣｌ２ ｐＨ７．０ ／ウェルを添加した。ホロ酵素の形成を完成するために、ｍｔｐ を２５℃で２時間、および１０℃で一晩インキュベートした。このプレートを作業プレートと呼ぶ。
【０１２２】
作業プレートから２×１０μｌ サンプル／ホールを２つの空のｍｔｐ に移した。その後、基質として一方はグルコースを用い、他方はマルトースまたは他の選択された糖分子を用いて試験した。全ての糖分子を、等モル濃度で使用した。
【０１２３】
ｄＥ／分を計算し、基質としてグルコースを用いた値を、１００ ％活性と設定した。他の糖を用いて得られた値を、グルコース値と比較し、活性割合で計算した（（ｄＥ／分マルトース／ｄＥグルコース）＊ １００）。これは、（変異体）酵素の交差反応性に等しい。
【０１２４】
実施例４：
変異誘発ＰＣＲ からの変異体ｓ−ＧＤＨ 遺伝子の配列決定
５０％マルトース／グルコース活性をもたらす変異体ｓ−ＧＤＨ 遺伝子を含むプラスミドを単離し（高純度プラスミド単離キット、Ｒｏｃｈｅ Ｄｉａｇｎｏｓｔｉｃｓ ＧｍｂＨ，Ｎｏ．１７５４７８５）、ＡＢＩ プリズム染料ターミネーターシークエンシングキット（Ｐｒｉｓｍ Ｄｙｅ Ｔｅｒｍｉｎａｔｏｒ Ｓｅｑｕｅｎｃｉｎｇ Ｋｉｔ） ならびにＡＢＩ ３／７３および３／７７シークエンサー（Ａｍｅｒｓｈａｍ Ｐｈａｒｍａｃｉａ Ｂｉｏｔｅｃｈ）を用いて配列決定した。
【０１２５】
以下のプライマーを用いた：
2004512047.tif 000004
【０１２６】
結果：
＝＞ＤＮＡ 配列レベルで６変異
＝＞アミノ酸レベルで４変異：
３４０位（成熟酵素）でＥ からＧ に変化
３４８位（成熟酵素）でＴ からＳ に変化
３６９位（成熟酵素）でＮ からＨ に変化
４１３位（成熟酵素）でＳ からＮ に変化
【０１２７】
実施例５：
飽和変異誘発により得られたｓ−ＧＤＨ 変異体
ＱｕｉｃｋＣｈａｎｇｅ 部位指向性変異誘発キット（Ｓｔｒａｔａｇｅｎｅ， Ｃａｔ．２００５１８）を用いて、ｓ−ＧＤＨ タンパク質または他のランダムアミノ酸を有するｓ−ＧＤＨ 変異体（上記のようなプラスミド精製）の規定した位置で野生型酵素を連続的に置換した。
【０１２８】
変異誘発に使用した５’プライマーおよび３’プライマーは、互いに相補的であり、中心位置にＮＮＮ を含んだ。これらのヌクレオチドは、各末端で１２〜１６ヌクレオチドで隣接した。ヌクレオチドの配列は、置換されるはずであるアミノ酸に対するコドンに隣接するｃＤＮＡ鎖または相補的なｃＤＮＡ鎖と同一であった。コドンの代わりに、プライマーはＮＮＮ を含み、したがってこれらのオリゴヌクレオチドは全てのコドンをコードする。
【０１２９】
全ての規定された位置に対して、１つのＰＣＲ 反応を行なった。
【０１３０】
ＰＣＲ 反応およびＤｐｎＩ消化を、マニュアルにしたがって行なった。
【０１３１】
その後、１ μｌ の各反応を、ＸＬ１Ｆ細胞のエレクトロポレーションに使用した。細胞を増殖させ、クローンのｓ−ＧＤＨ 活性を上記のように決定した。
【０１３２】
全２０アミノ酸バリアントのスクリーニングを統計的に確実にするために、各位置に対して２００ クローンを試験した。
【０１３３】
以下のプライマーを使用した。
2004512047.tif 000005
【０１３４】
結果：
３４０位、 ３６９位および ４１３位におけるアミノ酸変化は、基質特異性を変更しえなかった。 ３４８位におけるゆらぎのみが、２５〜１００ ％の基質特異性（マルトース／グルコース）を有するクローンをもたらした。
【０１３５】
何回もの変異誘発ＰＣＲ および飽和変異誘発を行なった。 ３４８位および ４２８位が主に重要であり、他のアミノ酸の交換が変異したｓ−ＧＤＨ のグルコースに対する特異性をさらに改善しうることを見出し、確認した。代表的なデータおよび位置を、表１に示す。
【０１３６】
【表１】
2004512047.tif 000006
2004512047.tif 000007
2004512047.tif 000008
【０１３７】
実施例６：
変異体ｓ−ＧＤＨ Ｔ３４８Ｇ の精製
増殖細胞（ＬＢ−Ａｍｐ．３７℃） を採集し、リン酸カリウムバッファー ｐＨ７．０中で再懸濁した。フレンチプレス通過（Ｆｒｅｎｃｈ Ｐｒｅｓｓ ｐａｓｓａｇｅ）（７００−９００ｂａｒ）により、細胞破壊を行なった。遠心分離後、上清を、１０ｍＭリン酸カリウムバッファー ｐＨ７．０で平衡化したＳ−セファロース（Ａｍｅｒｓｈａｍ Ｐｈａｒｍａｃｉａ Ｂｉｏｔｅｃ） カラムに適用した。洗浄後、 ０〜１Ｍ ＮａＣｌ 塩グラジエントを用いてｓ−ＧＤＨ を溶出した。ｓ−ＧＤＨ 活性を示す画分をプールし、リン酸カリウムバッファー ｐＨ７．０に対して透析し、再度平衡化したＳ−セファロースカラム上で再度クロマトグラフィーを行なった。活性画分をプールし、Ｓｕｐｅｒｄｅｘ（登録商標）２００ カラム（Ａｍｅｒｓｈａｍ Ｐｈａｒｍａｃｉａ Ｂｉｏｔｅｃ） を用いるゲル濾過に供した。活性画分をプールし、−２０℃で保管した。
【０１３８】
変異体Ｔ３４８Ｇ および野生型ｓ−ＧＤＨ の酵素アッセイおよびタンパク質決定
Ｐｉｅｒｃｅのタンパク質アッセイ試薬ｎｏ．２３２２５を用いて、タンパク質決定を行なった（３７℃、３０分、ＢＳＡ を用いた較正曲線） 。
【０１３９】
０．０５５６ｍＭピロロキノリンキノン（ＰＱＱ）；５０ｍＭ Ｈｅｐｅｓ；１５ｍＭＣａＣｌ２ ｐＨ７．０を用いて１ｍｇ タンパク質／ｍｌまでＧＤＨ サンプルを希釈し、再構築または活性化のために２５℃で３０分間インキュベートした。
【０１４０】
活性化後、５０μｌ のサンプルを０．３１５ｍｇ の（媒介物質として ４−（ジメチルホスフィニルメチル）−２−メチル− ピラゾロ −［１．５ａ］− イミダゾール−３− イル）−（４− ニトロソフェニル）−アミン（米国特許第５，４８４，７０８ 号を参照）／ｍｌ および３３ｍＭ糖） を含む１０００μｌ の０．２Ｍクエン酸バッファー溶液（ｐＨ５．８；２５℃） に添加した。
【０１４１】
２５℃で最初の５分間、６２０ｎｍ の吸光度をモニターする。
【０１４２】
１ユニットの酵素活性は、上記アッセイ条件下で１ｍＭｏｌ 媒介物質／分の変換に相当する。
【０１４３】
計算：活性＝（全容量＊ ｄＥ／分［Ｕ／ｍｌ］） ：（ε＊ サンプル容量＊ １）
（ε＝吸光係数；この例では、ε６２０ｎｍ ＝３０［ １＊ ｍｍｏｌ−１＊ ｃｍ−１］）。
【０１４４】
このアッセイを、グルコース、マルトースおよびガラクトース（Ｍｅｒｃｋ， Ｇｅｒｍａｎｙ）を用いて行った。
【０１４５】
2004512047.tif 000009
【０１４６】
実施例７：マルトースの存在または不在下におけるグルコースの決定
ｓ−ＧＤＨ の野生型および変異体Ｔ３４８Ｇ を、グルコース決定に適用した。参照サンプルは、６５ｍｇグルコース／ｄｌ を含んだ。「試験」サンプルは、６５ｍｇグルコース／ｄｌ および１３０ｍｇ／ｄｌマルトースを含んだ。同量のＧＤＨ 活性（Ｕ／ｍｌ；酵素アッセイを参照） を、各アッセイに用いた。
【０１４７】
キュベット中で混合した：
１ｍｌ の０．３１５ｍｇ（４−（ ジメチルホスフィニルメチル）−２−メチル− ピラゾロ− ［１．５ａ］− イミダゾール−３− イル）−（４− ニトロソフェニル）−アミンｍｌ／０．２Ｍ クエン酸ｐＨ５．８
０．０１５ｍｌ のサンプル（グルコースまたはグルコース＋マルトース）
【０１４８】
０．００５０ｍｌの ９０Ｕ／ｍｌ ｓ−ＧＤＨ を添加して、アッセイを開始した。６２０ｎｍ での吸収の変化をモニターした。５ 分後、一定値を観察し、ｄＥ／５分を計算した。野生型ｓ−ＧＤＨ を用いて参照サンプルを測定することにより得られた値を、１００ ％と設定した。他の値をこの参照値と比較し、％で計算した。
【０１４９】
2004512047.tif 000010
【０１５０】
測定された「グルコース値」は、変異ｓ−ＧＤＨ がこの決定において使用された場合、著しくは減少していないことが、明らかにわかりうる。
【０１５１】
2004512047.tif 000011
2004512047.tif 000012
【図面の簡単な説明】
【図１】
図１は、Ａｃｉｎｅｔｏｂａｃｔｅｒ ｃａｌｃｏａｃｅｔｉｃｕｓＰＱＱ依存性可溶性グルコースデヒドロゲナーゼ遺伝子のヌクレオチド（ＤＮＡ ）配列および対応するアミノ酸配列（配列番号：２３）である。
【図２】
図２は、Ａ． ｃａｌｃｏａｃｅｔｉｃｕｓ ＰＱＱ依存性ｓ−ＧＤＨ （上）および配列相同性に従って整列されたＡ． ｂａｕｍａｎｎｉｉ ｓ−ＧＤＨ（下）のタンパク質配列である。
【図３】
図３は、可溶性ＰＱＱ 依存性グルコースデヒドロゲナーゼの野生型または変異ＤＮＡ 配列を含む実施例１において参照したｐＡＣＳＧＤＨ ベクターの図解である。
【図４】
図４は、可溶性ＰＱＱ 依存性グルコースデヒドロゲナーゼの野生型ＤＮＡ 配列を含む実施例１において参照したｐＡＣＳＧＤＨ ベクターのヌクレオチド（ＤＮＡ ）配列（配列番号：２５）である。
【図１】
2004512047.tif 000013
2004512047.tif 000014
【図２】
2004512047.tif 000015
【図３】
2004512047.tif 000016
【図４】
2004512047.tif 000017
2004512047.tif 000018
2004512047.tif 000019
【国際公開パンフレット】
2004512047.tif 000020
2004512047.tif 000021
2004512047.tif 000022
2004512047.tif 000023
2004512047.tif 000024
2004512047.tif 000025
2004512047.tif 000026
2004512047.tif 000027
2004512047.tif 000028
2004512047.tif 000029
2004512047.tif 000030
2004512047.tif 000031
2004512047.tif 000032
2004512047.tif 000033
2004512047.tif 000034
2004512047.tif 000035
2004512047.tif 000036
2004512047.tif 000037
2004512047.tif 000038
2004512047.tif 000039
2004512047.tif 000040
2004512047.tif 000041
2004512047.tif 000042
2004512047.tif 000043
2004512047.tif 000044
2004512047.tif 000045
2004512047.tif 000046
2004512047.tif 000047
2004512047.tif 000048
2004512047.tif 000049
2004512047.tif 000050
2004512047.tif 000051
2004512047.tif 000052
2004512047.tif 000053
2004512047.tif 000054
2004512047.tif 000055
2004512047.tif 000056
2004512047.tif 000057
2004512047.tif 000058
2004512047.tif 000059
2004512047.tif 000060
2004512047.tif 000061
2004512047.tif 000062
2004512047.tif 000063
2004512047.tif 000064
2004512047.tif 000065
2004512047.tif 000066
2004512047.tif 000067
2004512047.tif 000068
2004512047.tif 000069
2004512047.tif 000070
2004512047.tif 000071
2004512047.tif 000072
2004512047.tif 000073
2004512047.tif 000074
2004512047.tif 000075
2004512047.tif 000076
【手続補正書】
【提出日】平成14年10月29日(2002.10.29)
【手続補正１】
【補正対象書類名】明細書
【補正対象項目名】特許請求の範囲
【補正方法】変更
【補正の内容】
【特許請求の範囲】
【請求項１】
対応する野生型酵素と比較して、および少なくとも１つの他の選択された糖基質に関して、少なくとも２倍の増加したグルコースに対する基質特異性を有することを特徴とする、ＰＱＱ 依存性可溶性グルコースデヒドロゲナーゼ（ｓ−ＧＤＨ ）としても知られているＥＣ１．１．９９．１７ の可溶性形態の変異体。
【請求項２】
選択された糖がマルトースおよびガラクトースからなる群から選択されることをさらに特徴とする請求項１記載の変異体。
【請求項３】
選択された糖がマルトースであることをさらに特徴とする請求項１または２記載の変異体。
【請求項４】
グルコースに対する基質特異性が少なくとも３倍改善されることをさらに特徴とする請求項１記載のＰＱＱ 依存性ｓ−ＧＤＨ の変異体。
【請求項５】
グルコースに対する基質特異性が少なくとも５倍改善されることをさらに特徴とする請求項１記載のＰＱＱ 依存性ｓ−ＧＤＨ の変異体。
【請求項６】
ａ）グルコースに対する基質特異的反応性が本質的に野生型酵素の反応性と等しく、
ｂ）マルトースに対する基質特異的反応性が野生型酵素と比較して３０％以下であることを特徴とする、
ＰＱＱ 依存性可溶性グルコースデヒドロゲナーゼ（ｓ−ＧＤＨ ）としても知られているＥＣ１．１．９９．１７ の可溶性形態の変異体。
【請求項７】
マルトースに対する基質特異的反応性が野生型酵素と比較して２０％以下であることをさらに特徴とする請求項６記載の変異体。
【請求項８】
野生型ｓ−ＧＤＨ がＡ．ｃａｌｃｏａｃｅｔｉｃｕｓ およびＡ．ｂａｕｍａｎｎｉｉ からなるＡｃｉｎｅｔｏｂａｃｔｅｒ 種の株から単離されることをさらに特徴とする請求項１〜７いずれか記載のＰＱＱ 依存性ｓ−ＧＤＨ の変異体。
【請求項９】
Ａ．ｃａｌｃｏａｃｅｔｉｃｕｓ 由来の公知のｓ−ＧＤＨ 野生型配列（配列番号：２４）の３４８ 位に対応するアミノ酸位置でアミノ酸残基置換を含んでなるＰＱＱ 依存性ｓ−ＧＤＨ の変異タンパク質。
【請求項１０】
Ａ．ｃａｌｃｏａｃｅｔｉｃｕｓ 由来の公知のｓ−ＧＤＨ 野生型配列（配列番号：２４）の位置に対応するアミノ酸位置で少なくとも２つのアミノ酸残基置換を含み、該置換されたアミノ酸位置が１６、２２、７６、１１６ 、１２０ 、１２７ 、１４３ 、１６８ 、１６９ 、１７１ 、１７７ 、２２７ 、２３０ 、２３１ 、２４５ 、２５５ 、２７７ 、２９５ 、２９９ 、３０８ 、３１７ 、３４１ 、３４９ 、３５５ 、４２２ 、４２８ および４３８ 位からなる群から選択され、アミノ酸残基Ｔ３４８が置換されてなるＰＱＱ 依存性ｓ−ＧＤＨ の変異タンパク質。
【請求項１１】
Ａ．ｃａｌｃｏａｃｅｔｉｃｕｓ 由来の公知のｓ−ＧＤＨ 野生型配列（配列番号：２４）の位置に対応するアミノ酸位置で、３４８ 位アミノ酸および次のアミノ酸残基１６、１１６ 、１２０ 、１２７ 、１６９ 、１７１ 、１７７ 、２２７ 、２５５ 、２７７ 、２９９ 、３１７ 、３５５ および４３８ のうち少なくとも１つが置換されることをさらに特徴とする請求項１０記載の変異体。
【請求項１２】
アミノ酸残基の置換を３４８ 位および４２８ 位で含んでなる請求項１０記載の変異タンパク質。
【請求項１３】
Ａ．ｃａｌｃｏａｃｅｔｉｃｕｓ 由来の公知のｓ−ＧＤＨ 野生型配列（配列番号：２４）の位置に対応するアミノ酸位置で少なくとも３つのアミノ酸残基置換を含み、該置換されたアミノ酸位置が１７１ 、２２７ 、２３０ 、２４５ 、３４１ 、３４８ 、３４９ 、および４２８ 位からなる群から選択され、アミノ酸残基Ｔ３４８およびＮ４２８の両方が置換されてなるＰＱＱ 依存性ｓ−ＧＤＨ の変異タンパク質。
【請求項１４】
４２８ 位のアスパラギンがロイシン、プロリンおよびバリンからなる群から選択されるアミノ酸残基で置換されることをさらに特徴とする請求項１２または１３記載の変異体。
【請求項１５】
３４８ 位のスレオニンがアラニン、グリシンおよびセリンからなる群から選択されるアミノ酸残基で置換されることをさらに特徴とする請求項９〜１４いずれか記載の変異体。
【請求項１６】
ＷＰＸａａＶＡＰＳ （配列番号：１）のアミノ酸配列を含んでなり、該Ｘａａ 残基がスレオニン以外のアミノ酸残基であるＰＱＱ 依存性ｓ−ＧＤＨ の変異タンパク質。
【請求項１７】
Ｘａａ 残基がグリシンであることをさらに特徴とする請求項１６記載の変異タンパク質。
【請求項１８】
ＴＡＧＸａａＶＱＫ （配列番号：２）のアミノ酸配列を含んでなり、該Ｘａａ 残基がアスパラギン以外のアミノ酸残基であるＰＱＱ 依存性ｓ−ＧＤＨ の変異タンパク質。
【請求項１９】
Ｘａａ 残基がプロリンであることをさらに特徴とする請求項１８記載の変異タンパク質。
【請求項２０】
ＡＤＧＸａａＮＧＬ （配列番号：３）のアミノ酸配列を含んでなり、該Ｘａａ 残基がグルタミン以外のアミノ酸残基であるＰＱＱ 依存性ｓ−ＧＤＨ の変異タンパク質。
【請求項２１】
Ｘａａ 残基がアスパラギン酸、グルタミン酸、メチオニン、プロリン、セリン、アラニンまたはグリシンからなる群から選択されることをさらに特徴とする請求項２０記載の変異体。
【請求項２２】
請求項９〜２１いずれか記載のｓ−ＧＤＨ 変異タンパク質をコードする単離されたポリヌクレオチド。
【請求項２３】
宿主細胞において請求項２２記載の単離されたポリヌクレオチドの発現を促進し得るプロモーター配列に作動可能に連結された該ポリヌクレオチドを含んでなる発現ベクター。
【請求項２４】
請求項２３記載の発現ベクターを含んでなる宿主細胞。
【請求項２５】
酵素バリアントの産生に適切な条件下で請求項２４記載の宿主細胞を培養する工程を含むｓ−ＧＤＨ バリアントを産生する方法。
【請求項２６】
無細胞のペプチド合成系において請求項２２記載の単離されたポリヌクレオチドの発現を促進し得るプロモーター配列に作動可能に連結された該ポリヌクレオチドを含んでなる発現ベクター。
【請求項２７】
酵素バリアントの産生に適切な条件下で無細胞のペプチド合成系において請求項２６記載の構築物を用いてｓ−ＧＤＨ バリアントを産生する方法。
【請求項２８】
改善がサンプルを変異体と接触させる工程を含む前記いずれか記載のｓ−ＧＤＨ 変異体を用いてサンプル中のグルコースを検出、決定または測定する方法。
【請求項２９】
グルコースの検出、決定または測定がセンサーまたは試験ストリップデバイスを用いて実施されることをさらに特徴とする請求項２８記載の方法。
【請求項３０】
請求項１〜２９いずれか記載のｓ−ＧＤＨ 変異体および測定に必要な他の試薬を含むサンプル中のグルコースの検出または測定のためのデバイス。
【国際調査報告】
2004512047.tif 000077
2004512047.tif 000078
2004512047.tif 000079